(57)【要約】【課題】面倒な手順を経ることなく内容物の液切りや喫食、再保存等を簡便に行うことが可能な二重容器を提供する。【解決手段】第１開口部１１と、第１壁部１２と、第１底部１３を備えた第１容器１０と、第２開口部２１と、第２壁部２２と、第２底部２３を備え、第１開口部１１を通じて第１容器１０の内部に収容される第２容器２０とを有し、第２容器２０は第１容器１０の内部から持ち上げ可能である二重容器１において、第１容器１０の内縁側に第１壁部１２の上部と連設する内段部１５が備えられ、第２容器２０の第２壁部２２または第２底部２３のいずれかもしくは両方に液切り部２５が穿設され、持ち上げられた第２容器２０の第２底部２３が内段部１５に載置される。【選択図】図２
0003204938.tif 000002
【実用新案登録請求の範囲】
【請求項１】
第１開口部と、第１壁部と、第１底部を備えた第１容器と、
第２開口部と、第２壁部と、第２底部を備え、前記第１開口部を通じて前記第１容器の内部に収容される第２容器とを有し、
前記第２容器は前記第１容器の内部から持ち上げ可能である二重容器において、
前記第１容器の第１開口部の内縁側に前記第１壁部の上部と連設する内段部が備えられ、
前記第２容器の前記第２壁部または前記第２底部のいずれかもしくは両方に液切り部が穿設され、
持ち上げられた前記第２容器の前記第２底部が前記内段部に載置される
ことを特徴とする二重容器。
【請求項２】
前記内段部に保持凹部が形成されており、持ち上げられた前記第２容器の前記第２底部が前記保持凹部に載置される請求項１に記載の二重容器。
【請求項３】
前記第２容器の前記第２開口部につまみ部または指掛け部が備えられる請求項１または２に記載の二重容器。
【請求項４】
前記第１容器の前記第１開口部の外縁に外延フランジ部が延設されている請求項１ないし３のいずれか１項に記載の二重容器。
【請求項５】
前記第１容器の前記第１開口部に保護フィルムが貼着される請求項１ないし４のいずれか１項に記載の二重容器。
【請求項６】
前記第１容器の前記第１開口部を被う蓋部材が備えられる請求項１ないし５のいずれか１項に記載の二重容器。
【請求項７】
前記蓋部材の辺縁部は縦断面視逆Ｕ字状であり、前記蓋部材は前記第１容器の前記第１開口部の外側を被覆して嵌合する請求項６に記載の二重容器。
【請求項８】
前記第１開口部と前記内段部との間に開口壁部が形成され、前記開口壁部に前記蓋部材の前記辺縁部が嵌合する請求項７に記載の二重容器。
【考案の詳細な説明】
【技術分野】
【０００１】
本考案は第一の容器と、該第一の容器に収容される第二の容器とを有する二重容器に関し、特に液中に浸漬された内容物の液切りを可能とする二重容器に関する。
【背景技術】
【０００２】
一般に、漬物やシロップ付けフルーツ、豆腐等の液中保存された加工食品は、漬け込み液やシロップ、水等の所定の保存液に野菜や果物等の所定の食材を浸漬させて保存される。この種の食品の店頭販売に際しては、袋状容器や瓶状容器、箱状容器等の適宜の容器に保存液とともに食材が収容される。
【０００３】
このような形態で販売される液中保存された加工食品は、喫食に際して、保存液中から食材が個別に取り出されたり、容器内の保存液の廃棄後に食材が取り出されたりして、別途取り皿等に移される。そして、取り出し直後の食材には保存液が付着していることがあり、喫食前に液切りを行う場合がある。しかしながら、食材を取り皿等に移した場合、食材に付着した保存液は取り皿上に溜まってしまう。そのため、食材の液切りが不十分で、喫食直前に食材から保存液を振り落とす等により改めて液切りをする等の煩わしさがある。
【０００４】
また、食材の種類によっては、保存液から取り出されて空気に触れることにより、変色してしまったり、食感や風味が変わってしまったりすることがある。そのため、容器内の保存液を廃棄して食材が取り出された場合、食べ残し等により食材を再度保存液に浸漬させて保存することができない。
【０００５】
そこで、液中保存された加工食品において、喫食に際して保存液の廃棄が不要で、かつ液切りを容易に行うことが可能な二重容器が知られている（例えば、特許文献１参照。）。この二重容器は、保存液及び食材が収容される容器本体と、容器本体に収容されるとともに食材が載置可能な載置部に貫通孔が形成された中皿と、中皿に該中皿を容器本体から引き上げ可能に設けられた引き上げ部とを備える。
【０００６】
この容器では、中皿の載置部に貫通孔が形成されているため、食材が載置された中皿を容器本体から引き上げることにより、中皿上の保存液は貫通孔から排出されて容器本体内に残り、中皿上に溜まらない。従って、中皿上の食材は、簡便に液切りされる。しかも、容器本体内に保存液が残留しているため、食材を再度保存液に浸漬させることも可能である。
【０００７】
上記の液中保存された加工食品用の従来容器では、中皿の引き上げにより液切りされた食材を中皿から別途取り皿等へ移し替えて喫食するか、中皿から必要な分量の食材を直接取り上げて喫食することとなる。しかしながら、中皿から直接喫食する場合、必要な分量の食材が取り上げられた後の中皿はいったん容器本体に戻される。そのため、喫食するたびに中皿を容器本体から引き上げる必要があり、手順が面倒で取り扱いにくさの改善が求められていた。
【先行技術文献】
【特許文献】
【０００８】
【特許文献１】特開２００１−４８２６２号公報
【考案の概要】
【考案が解決しようとする課題】
【０００９】
本考案は、前記の点に鑑みなされたものであり、面倒な手順を経ることなく内容物の液切りや喫食、再保存等を簡便に行うことが可能な二重容器を提供するものである。
【課題を解決するための手段】
【００１０】
すなわち、請求項１の考案は、第１開口部と、第１壁部と、第１底部を備えた第１容器と、第２開口部と、第２壁部と、第２底部を備え、前記第１開口部を通じて前記第１容器の内部に収容される第２容器とを有し、前記第２容器は前記第１容器の内部から持ち上げ可能である二重容器において、前記第１容器の内縁側に前記第１壁部の上部と連設する内段部が備えられ、前記第２容器の前記第２壁部または前記第２底部のいずれかもしくは両方に液切り部が穿設され、持ち上げられた前記第２容器の前記第２底部が前記内段部に載置されることを特徴とする二重容器に係る。
【００１１】
請求項２の考案は、前記内段部に保持凹部が形成されており、持ち上げられた前記第２容器の前記第２底部が前記保持凹部に載置される請求項１に記載の二重容器に係る。
【００１２】
請求項３の考案は、前記第２容器の前記第２開口部につまみ部または指掛け部が備えられる請求項１または２に記載の二重容器に係る。
【００１３】
請求項４の考案は、前記第１容器の前記第１開口部の外縁に外延フランジ部が延設されている請求項１ないし３のいずれか１項に記載の二重容器に係る。
【００１４】
請求項５の考案は、前記第１容器の前記第１開口部に保護フィルムが貼着される請求項１ないし４のいずれか１項に記載の二重容器に係る。
【００１５】
請求項６の考案は、前記第１容器の前記第１開口部を被う蓋部材が備えられる請求項１ないし５のいずれか１項に記載の二重容器に係る。
【００１６】
請求項７の考案は、前記蓋部材の辺縁部は縦断面視逆Ｕ字状であり、前記蓋部材は前記第１容器の前記第１開口部の外側を被覆して嵌合する請求項６に記載の二重容器に係る。
【００１７】
請求項８の考案は、前記第１開口部と前記内段部との間に開口壁部が形成され、前記開口壁部に前記蓋部材の前記辺縁部が嵌合する請求項７に記載の二重容器に係る。
【考案の効果】
【００１８】
請求項１の考案に係る二重容器は、第１開口部と、第１壁部と、第１底部を備えた第１容器と、第２開口部と、第２壁部と、第２底部を備え、前記第１開口部を通じて前記第１容器の内部に収容される第２容器とを有し、前記第２容器は前記第１容器の内部から持ち上げ可能である二重容器において、前記第１容器の内縁側に前記第１壁部の上部と連設する内段部が備えられ、前記第２容器の前記第２壁部または前記第２底部のいずれかもしくは両方に液切り部が穿設され、持ち上げられた前記第２容器の前記第２底部が前記内段部に載置されるため、面倒な手順を経ることなく内容物の液切りや喫食、再度の保存等を極めて簡便な手順のみによって行うことが可能である。
【００１９】
請求項２の考案は、請求項１の考案において、前記内段部に保持凹部が形成されており、持ち上げられた前記第２容器の前記第２底部が前記保持凹部に載置されるため、第２容器は内段部上で横ずれが抑制されて適切に位置決めされる。
【００２０】
請求項３の考案は、請求項１または２の考案において、前記第２容器の前記第２開口部につまみ部または指掛け部が備えられるため、内容物に触れることなく第２容器を持ち上げることが可能となる。
【００２１】
請求項４の考案は、請求項１ないし３の考案において、前記第１容器の前記第１開口部の外縁に外延フランジ部が延設されているため、第１開口部の保形性が向上される。
【００２２】
請求項５の考案は、請求項１ないし４の考案において、前記第１容器の前記第１開口部に保護フィルムが貼着されるため、第１容器が密閉状態とされて液漏れや臭い漏れ等が防止される。
【００２３】
請求項６の考案は、請求項１ないし５の考案において、前記第１容器の前記第１開口部を被う蓋部材が備えられるため、第１容器及び第２容器内の内容物が保護される。
【００２４】
請求項７の考案は、請求項６の考案において、前記蓋部材の辺縁部は縦断面視逆Ｕ字状であり、前記蓋部材は前記第１容器の前記第１開口部の外側を被覆して嵌合するため、当該二重容器の使用状態に対応して適切に内容物の保護が可能である。
【００２５】
請求項８の考案は、請求項７の考案において、前記第１開口部と前記内段部との間に開口壁部が形成され、前記開口壁部に前記蓋部材の前記辺縁部が嵌合するため、当該二重容器の使用状態に対応して適切に内容物の保護が可能である。
【図面の簡単な説明】
【００２６】
【図１】本考案の一実施形態に係る二重容器の分解斜視図である。
【図２】図１の二重容器の使用状態を表す斜視図である。
【図３】保護フィルム及び蓋部材を含む二重容器の断面図である。
【図４】保護フィルム及び蓋部材を含む二重容器の分解断面図である。
【図５】第１容器の平面図である。
【図６】第２容器の平面図である。
【図７】第２容器の断面図である。
【図８】第１容器に第２容器を収容した状態の二重容器の平面図である。
【図９】図８の状態の二重容器の断面図である。
【図１０】二重容器の使用状態を表す平面図である。
【図１１】図１０の状態の二重容器の断面図である。
【図１２】蓋部材を内嵌合させた状態を表す二重容器の断面図である。
【図１３】他の実施形態に係る第２容器の斜視図である。
【考案を実施するための形態】
【００２７】
図１〜図４に示す容器は、第１容器１０と、第２容器２０とを有する二重容器１であって、必要に応じて、保護フィルム３０、蓋部材４０が備えられる。当該二重容器１の内容物は、主として液中保存された加工食品である。液中保存された加工食品は、所定の保存液等の液状物Ｗに食材Ｆが浸漬されて保存される食品であり、例えば、らっきょうやピクルス等の漬け込み液に野菜等を浸漬させた漬物類、シロップ漬けフルーツやナタデココ等のシロップに果物等の食材を浸漬させたシロップ漬け食品、豆腐やこんにゃく等の水に浸漬された加工食品、オリーブ等の油に浸漬されたオイル漬け食品等である。また、カットフルーツ等の比較的水分が出やすい食品等の収容にも適している。
【００２８】
二重容器１の第１容器１０、第２容器２０、蓋部材４０を形成する材料としては、ポリエチレン、ポリプロピレン、ポリスチレン、ポリエチレンテレフタレート等の熱可塑性樹脂のシート（合成樹脂シート）、さらにはポリ乳酸等の生分解性樹脂の熱可塑性樹脂のシート等が挙げられる。前記の合成樹脂シートは真空成形により図示をはじめとする各種形状に成形される。合成樹脂シートの厚さは適宜ではあるものの、概ね１ｍｍ以下の厚さである。
【００２９】
二重容器１を構成する第１容器１０、第２容器２０、蓋部材４０の組み合わせにおいて、それぞれ同一材料で形成してもよいし、異なる材料で形成してもよい。また、二重容器１の材料は上記の材料に限らず、紙製、金属製、ガラス製、木製、陶磁器製等であってもよい。構成材料の種類は、用途、内容物、包装対象等により適宜選択される。
【００３０】
第１容器１０は、図４，５に示すように、第１開口部１１と、第１壁部１２と、第１底部１３とを備えており、椀形状、鉢（丼）形状、皿形状等、適宜の容器形状からなる。この第１容器１０は、後述の第２容器２０を収容可能とする。また、加工食品を保存するための保存液等の液状物Ｗが貯留可能である。
【００３１】
第１開口部１１には、外縁に全周に亘ってその外側へ折り返された外延フランジ部（第１フランジ部）１４が延設されている。また、第１開口部１１の内縁側には、第１壁部１２の上部と連設される内段部１５が形成されている。第１開口部１１と内段部１５との間には開口壁部１８が形成されている。外延フランジ部により、第１開口部１１の保形性が向上される。また、第１容器１０において、第１開口部１１や第１底部１３の形状は円形状や多角形状等、用途に応じて適宜であり、第１開口部１１と第１底部１３とが同形でもよいし、異なっていてもよい。
【００３２】
内段部１５は、第１壁部１２の上部に全周に亘って形成された平面部であり、図５に示すように、一部に他の平面部より幅広の幅広面部１６を有する。この幅広面部１６は、後述する第２容器２０のための載置部としても機能する。また、内段部１５の幅広面部１６には、第１壁部１２との境界部分に切欠き状に凹んだ保持凹部１７が形成されている。
【００３３】
実施形態の第１容器１０では、図５に示すように、第１開口部１１が略正方形状に形成されている。第１開口部１１の内縁側の内段部１５は、第１開口部１１の対向する２辺側に幅広面部１６，１６されて、段部開口部１５ａが略長方形状に形成されている。第１壁部１２は、図４に示すように、段部開口部１５ａから第１底部１３へ向かって逆テーパ状に形成される。第１底部１３は、図５に示すように、第１壁部１２に連設されて段部開口部１５ａより小さい略長方形状に形成される。なお、図５において、符号Ｌ１は段部開口部１５ａの幅広面部１６，１６側の辺の長さ、Ｌ２は段部開口部１５ａの幅広面部１６，１６間の長さを表し、Ｌ１がＬ２より長くなっている。
【００３４】
第２容器２０は、図６〜図９に示すように、第２開口部２１と、第２壁部２２と、第２底部２３を備えており、第１容器１０の第１開口部１１を通じて第１容器１０の内部に収容される適宜の容器形状からなる。この第２容器２０は、加工食品の食材Ｆが収容される容器であって、図１，２に示すように、第１容器１０の内部から持ち上げ可能である。
【００３５】
第２開口部２１には、外縁に全周に亘って延設された第２フランジ部２４が形成されている。第２底部２３には、液切り部２５が穿設されている。また、第２開口部２１の第２フランジ部２４には、第２容器２０を持ち上げるためのつまみ部２６が設けられている。第２容器２０において、第２開口部２１や第２底部２３は、第１容器１０に収容可能な適宜の形状からなり、第２開口部２１と第２底部２３とが同形でもよいし、異なっていてもよい。
【００３６】
第２フランジ部２４は、図６〜図９に示すように、第２容器２０の第１容器１０への収容時に第１容器１０の内段部１５に載置される平面部であり、内段部１５の幅広面部１６に対応して一部に他の平面部より幅広の幅広第２フランジ部２４ａを有する。この幅広第２フランジ部２４ａには、第２壁部２２との境界部分に、内段部１５の保持凹部１７に対応して切欠き状に凹んだ切欠凹部２４ｂが形成されている。
【００３７】
液切り部２５は、図６，図７（ｂ）に示すように、第２底部２３の複数個所に設けられた貫通孔である。この液切り部２５は、第２容器２０を第１容器１０の内部から持ち上げた際に、第２容器２０内の液状物を排出するための部位である。液切り部２５の形状や大きさ等は、第２容器２０に収容された食材Ｆを落下させずに液状物の排出が可能であれば特に限定されるものではなく、円形状や多角形状、網目状、スリット状等適宜である。
【００３８】
つまみ部２６は、消費者（利用者）が指でつまんだり把持したりして食材Ｆが収容された第２容器２０を持ち上げ可能とする部位である。このつまみ部２６は、図１，２，６，７に示すように、幅広第２フランジ部２４ａ以外の平面部２４ｃの複数個所（図示の例では２箇所）に設けられている。つまみ部２６の形状は、消費者（利用者）が把持（つまみ）可能な形状であれば特に限定されるものではなく、突出部や突片部等適宜である。図示のつまみ部２６は、第２壁部２２とともに第２容器２０内側へ膨出したフランジ膨出部２４ｄ上に形成された上方への突出部である。このつまみ部２６の突出高さは、第１容器１０への収容時に、第１開口部１１（外延フランジ部１４）より上方へ突出しないように構成される。これは、後述する保護フィルム３０の第１開口部１１への貼着を妨げないようにするためである。
【００３９】
実施形態の第２容器２０では、図６に示すように、第２フランジ部２４の外縁が第１容器１０の第１開口部１１に対応して略正方形状に形成されている。第２開口部２１は、フランジ膨出部２４ｄとともに膨出した第２壁部２２が形成されていることにより平面視略Ｈ字形状に形成され、特に幅広第２フランジ部２４ａを有することにより幅広第２フランジ部２４ａ側の辺の長さが幅広第２フランジ部２４ａ，２４ａ間の長さより長くなっている。第２壁部２２は、図７に示すように、第２開口部２１から第２底部２３へ向かって逆テーパ状に形成される。第２底部２３は、図６に示すように、第１容器１０の第１底部１３及び第２開口部２１に対応して平面視略Ｈ字形状に形成されている。略Ｈ字形状の第２底部２３では、幅広第２フランジ部２４ａ側の辺の長さＬ３が幅広第２フランジ部２４ａ，２４ａ間の長さＬ４より長くなっている。
【００４０】
第２容器２０は、図２，１０，１１に示すように、第１容器１０の内部から持ち上げられて、第２底部２３が第１容器１０の内段部１５に載置される。第２容器２０の内段部１５への載置状態は、第２底部２３の幅広第２フランジ部２４ａ側の辺の長さＬ３が、幅広第２フランジ部２４ａ，２４ａ間の長さＬ２より長く形成されていることから、第１容器１０の内部からの持ち上げ後、収容方向に対して水平に９０度回転されて、第２容器２０の第２底部２３を第１容器１０の内段部１５の幅広面部１６，１６間に架橋させた状態となる。また特に、第２容器２０の第２底部２３は、内段部１５に形成された保持凹部１７，１７内に載置されて保持される。
【００４１】
保護フィルム３０は、図３，４に示すように、第１容器１０の第１開口部１１に貼着されて、第１開口部１１を封止する。保護フィルム３０は、可塑性樹脂シートやアルミニウムシート等の単体または複数の積層シート、紙製シート等からなる。この保護フィルム３０は、その材質に応じてヒートシールや接着剤等により、第１容器１０の第１開口部１１全周（図示では外延フランジ部１４）に剥離可能に接着される。そのため、第１容器１０を密閉状態とすることが可能であり、液漏れや臭い漏れ等が防止される。また、保護フィルム３０には、必要に応じて剥離しやすくするためのつまみ片が形成される。
【００４２】
蓋部材４０は、図３，４，１２に示すように、第１容器１０の第１開口部１１を被って第１容器１０及び第２容器２０内の内容物を保護する部材であって、第１容器１０の第１開口部１１に封止可能に嵌合される。この蓋部材４０では、第１容器１０の第１開口部１１に保護フィルム３０が貼着された密閉状態と、第１開口部１１に保護フィルム３０が貼着されていない開封状態との双方の状態で嵌合可能であるため、当該二重容器１の使用状態に対応して適切に内容物の保護が可能である。
【００４３】
実施形態の蓋部材４０は、第１開口部１１を被覆する蓋天面４１と、蓋天面４１の辺縁部４２から全周に亘って垂下された垂下縁部４３と、垂下縁部４３の内周側下部に突設された縁突部４４と、蓋天面４１の辺縁部４２近傍を下方へ凹ませてなる天面凹部４５とを有する。なお、縁突部４４は、垂下縁部４３の内周側の全周または一部に形成され、一部に形成される場合は複数個所に形成される。
【００４４】
第１開口部１１に保護フィルム３０が貼着された密閉状態で蓋部材４０を嵌合させる場合、図３に示すように、第１開口部１１の外延フランジ部１４に対して外側を被覆して嵌合（外嵌合）される。すなわち、蓋部材４０の辺縁部４２は垂下縁部４３と天面凹部４５とにより縦断面視逆Ｕ字状であり、嵌合に際して垂下縁部４３が第１開口部１１の外延フランジ部１４の外周面側に近接または当接される。その際、垂下縁部４３の縁突部４４は、外延フランジ部１４の下端部に対して係着されるため、蓋部材４０の意図しない嵌合解除が防止される。なお、蓋部材４０の外嵌合では、天面凹部４５の下面が保護フィルム３０に対して近接または当接となるため、第１開口部１１に保護フィルム３０が貼着されていても嵌合の妨げとならない。
【００４５】
第１開口部１１に保護フィルム３０が貼着されていない開封状態で蓋部材４０を嵌合させる場合、図１２に示すように、第１開口部１１の開口壁部１８に対して辺縁部４２の天面凹部４５が内接するように嵌合（内嵌合）される。すなわち、蓋部材４０の天面凹部４５は蓋天面４１から下方へ凹んでいることにより、第１開口部１１内へ進入して開口壁部１８に内接される。その際、天面凹部４５の下面は内段部１５に載置された第２容器２０の第２フランジ部２４に当接され、さらに辺縁部４２が外延フランジ部１４に当接される。これにより、第１開口部１１の密閉が可能である。
【００４６】
次に、当該二重容器１の使用例について説明する。二重容器１では、図３に示すように、第１容器１０内に第２容器２０が収容され、その内部に所定の液状物Ｗが充填されて、その液状物Ｗに食材Ｆが浸漬されている。充填される液状物Ｗの液量は、図示のように、第１容器１０の内段部１５（特に保持凹部１７）より下方とされる。また、食材Ｆは第２容器２０内に収容される。液状物Ｗとともに食材Ｆが収容された第１容器１０の第１開口部１１には保護フィルム３０が貼着され、さらにその上部から蓋部材４０が外延フランジ部１４に対して外嵌合されている。
【００４７】
蓋部材４０の嵌合が解除されて第１容器１０から取り外された後、第１開口部１１に貼着された保護フィルム３０が剥離されて、図９に示すように、当該二重容器１は開封される。ここで、消費者（利用者）によりつまみ部２６，２６が把持され、第２容器２０は第１容器１０内から上方へ持ち上げられる。この時、第２容器２０内に充填されていた液状物Ｗは、第２容器２０の持ち上げに伴って液切り部２５から排出される。そのため、液状物Ｗの液面より上方へ第２容器２０が持ち上げられることにより、第２容器２０内の液状物Ｗは液切りされて第１容器１０内に残留される。なお、つまみ部２６，２６が第２容器２０の第２開口部２１の第２フランジ部２４から上方へ突出されているため、持ち上げに際して消費者が液状物Ｗや食材Ｆ等の内容物に触れるおそれがなく、衛生的であるとともに消費者の指先を汚してしまうおそれがない。
【００４８】
持ち上げられた第２容器２０は、図１１に示すように、水平に９０度回転されて、第１容器１０の内段部１５の幅広面部１６，１６上に載置される。ここで、図１０に示すように、第２底部２３の幅広第２フランジ部２４ａ側の辺の長さＬ３は、幅広第２フランジ部２４ａ，２４ａ間の長さＬ２より長く形成されている。そのため、第２容器２０は内段部１５への載置に際して、図１１に示すように、第１容器１０の内段部１５の幅広面部１６，１６間に架橋される。その際、第２容器２０の第２底部２３が内段部１５の幅広面部１６，１６に設けられた保持凹部１７，１７に保持されるため、第２容器２０は内段部１５上で横ずれが抑制されて適切に位置決めされる。
【００４９】
このようにして第１容器１０の内段部１５に載置された第２容器２０では、図１１に示すように、第１容器１０に残留した液状物Ｗの液面が保持凹部１７より下方に位置しているため、液状物Ｗとの接触が回避される。そのため、第２容器２０内に収容された食材Ｆに再度液状物Ｗが付着することがなく、適切な液切りが可能である。
【００５０】
また、第２容器２０は、液切りされた食材Ｆを収容したまま第１容器１０の内段部１５に継続して載置可能であるため、第２容器２０から直接食材Ｆの喫食が可能であるとともに、喫食に際して第２容器２０を逐一第１容器１０へ戻す必要がない。特に、第２底部２３が内段部１５の保持凹部１７，１７に保持されて横ずれが抑制されていることから、安定した状態での喫食が可能となる。
【００５１】
喫食後に第２容器２０内に食材Ｆが残っている場合、食材の種類によっては風味の変化や変色等が発生するため、再度液状物Ｗに浸漬させて保存する必要がある。そこで、第１容器１０の内段部１５に載置された第２容器２０は持ち上げられ、図１２に示すように、水平に９０度回転させて第１容器１０内へ再度収容される。これにより、第２底部２３の液切り部２５から第２容器２０内に液状物Ｗが流入されて、第２容器２０内の食材Ｆが液状物Ｗに浸漬される。そして、蓋部材４０を第１容器１０の第１開口部１１の開口壁部１８に対して内嵌合させることにより、開封後の当該二重容器１が再度密閉される。
【００５２】
以上図示し説明したように、本考案の二重容器では、第１容器に収容された第２容器を持ち上げ、第１容器の内段部に載置させるだけで、第２容器に収容された食材の液切りを適切に行うことが可能である。また、第２容器は第１容器の内段部に継続して載置可能であるため、液切りされた食材を直接喫食可能であり、取り皿等の他の容器に移し替える必要がない。さらに、第１容器には液状物が残留されるため、第２容器を第１容器に収容しなおすだけで第２容器に残った食材を再度保存することが可能である。従って、当該二重容器にあっては、内容物の液切りや喫食、再度の保存等を極めて簡便な手順のみによって行うことができる。
【００５３】
なお、本考案の二重容器は、前述の実施形態のみに限定されるものではなく、考案の趣旨を逸脱しない範囲において構成の一部を適宜に変更して実施することができる。例えば、図１３に示す第２容器２０Ａでは、第２壁部２２と第２底部２３の双方に液切り部２５（２５ａ，２５ｂ）が形成される。第２壁部２２の液切り部２５ａは、効率よく液切りするために、第２壁部２２の低い位置（第２底部２３近傍）に形成されることが好ましい。また図示しないが、第２底部に液切り部を形成せず、第２壁部のみに液切り部を形成してもよい。
【００５４】
さらに、前述の実施形態のつまみ部の代わりに、図１３に示す第２容器２０Ａのように、指掛け部２６ａ，２６ａを設けてもよい。指掛け部２６ａは、少なくとも１本の指を引っ掛けることができる形状であれば特に限定されるものではなく、図示のリング形状の他、鉤状等の適宜の形状とされる。
【産業上の利用可能性】
【００５５】
以上の通り、本考案の二重容器は、極めて簡便な手順によって加工食品の液切りや喫食、再保存等が可能である。従って、液中保存される加工食品用の容器としての使用に最適である。
【符号の説明】
【００５６】
１    二重容器
１０  第１容器
１１  第１開口部
１２  第１壁部
１３  第１底部
１４  外延フランジ部
１５  内段部
１５ａ  段部開口部
１６  幅広面部
１７  保持凹部部
１８  開口壁部
２０  第２容器
２１  第２開口部
２２  第２壁部
２３  第２底部
２４  第２フランジ部
２４ａ  幅広第２フランジ部
２４ｂ  切欠凹部
２４ｃ  幅広第２フランジ部以外の平面部
２５  液切り部
２６  つまみ部
３０  保護フィルム
４０  蓋部材
４１  蓋天面
４２  辺縁部
４３  垂下縁部
４４  縁突部
４５  天面凹部
Ｆ    食材
Ｗ    液状物
【図１】
0003204938.tif 000003
【図２】
0003204938.tif 000004
【図３】
0003204938.tif 000005
【図４】
0003204938.tif 000006
【図５】
0003204938.tif 000007
【図６】
0003204938.tif 000008
【図７】
0003204938.tif 000009
【図８】
0003204938.tif 000010
【図９】
0003204938.tif 000011
【図１０】
0003204938.tif 000012
【図１１】
0003204938.tif 000013
【図１２】
0003204938.tif 000014
【図１３】
0003204938.tif 000015